(57)【特許請求の範囲】
【請求項１】
被記録媒体に記録を行う記録手段と、
被記録媒体を搬送する搬送経路に向けてプレート状の被搬送媒体を案内するガイド手段を備えるとともに、装置本体に対して着脱可能に設けられる、被記録媒体を収容する被記録媒体カセットと、
前記搬送経路において前記記録手段より下流側に設けられ、回転駆動される排出駆動ローラー及び当該排出駆動ローラーと対向配置されて従動回転する排出従動ローラーを備えて成る排出手段と、
前記排出従動ローラーを前記排出駆動ローラーから離間させるレリース手段と、を備え、
前記被記録媒体カセットは、前記記録手段の下側に位置するとともに、被記録媒体を収容する下段側トレイと、当該下段側トレイの上部に設けられた、被記録媒体を載置する上段側トレイと、を備えて構成され、
前記上段側トレイは、トレイ駆動手段によって当該上段側トレイから被記録媒体を給送可能な給送可能位置と、前記下段側トレイから被記録媒体を給送する際の退避位置と、の間を変位可能に設けられ、
前記ガイド手段は、前記被記録媒体カセットから出没可能に設けられたガイド部材により構成され、
前記ガイド部材は、前記上段側トレイが前記退避位置にあるときにのみ前記被記録媒体カセットから進出可能に設けられている、
ことを特徴とする記録装置。
【請求項２】
請求項１に記載の記録装置において、前記搬送経路において前記記録手段より上流側に、回転駆動される搬送駆動ローラー及び当該搬送駆動ローラーと対向配置されて従動回転する搬送従動ローラーを備え、
前記プレート状の被搬送媒体、又は前記プレート状の被搬送媒体にセットされた被記録媒体への記録を実行する場合、前記搬送従動ローラーは、少なくとも前記プレート状の被搬送媒体が前記搬送経路の下流側から上流側に向けて送り込まれてその先端が前記搬送駆動ローラーと前記搬送従動ローラーとの間に入り込むまでは、前記搬送駆動ローラーから離間した状態となる、
ことを特徴とする記録装置。
【請求項３】
請求項１または請求項２に記載の記録装置において、前記記録手段を構成する記録ヘッドと対向配置され、被記録媒体と前記記録ヘッドとのギャップを規定する案内部材と、
前記ギャップを調整するギャップ調整手段と、を備え、
前記ガイド部材が前記被記録媒体カセットから進出する場合、前記ギャップ調整手段は、前記ギャップを大きくする、
ことを特徴とする記録装置。
【請求項４】
請求項１から請求項３のいずれか一項に記載の記録装置において、前記排出駆動ローラーは、前記排出従動ローラーの下側に位置し、
前記ガイド手段のガイド面は、前記排出駆動ローラーの上部外周面と略同じ高さ位置である、
ことを特徴とする記録装置。
【請求項５】
請求項１から請求項４のいずれか一項に記載の記録装置において、前記ガイド部材を出没動作させる駆動機構と、
前記駆動機構を制御する制御部と、を備え、
前記制御部は、前記プレート状の被搬送媒体、又は前記プレート状の被搬送媒体にセットされた被記録媒体への記録を実行するモードが選択された際、没状態にある前記ガイド部材を進出させる、
ことを特徴とする記録装置。
【請求項６】
請求項５に記載の記録装置において、前記制御部は、前記プレート状の被搬送媒体、又は前記プレート状の被搬送媒体にセットされた被記録媒体への記録を実行するモードが選択された際、前記上段側トレイが前記給送可能位置にある場合には当該上段側トレイを前記退避位置に変位させる、
ことを特徴とする記録装置。
【請求項７】
請求項５または請求項６に記載の記録装置において、前記制御部は、前記レリース手段を制御して、前記プレート状の被搬送媒体、又は前記プレート状の被搬送媒体にセットされた被記録媒体への記録を実行する場合、前記排出従動ローラーを前記排出駆動ローラーから離間させる、
ことを特徴とする記録装置。
【請求項８】
請求項５から請求項７のいずれか一項に記載の記録装置において、前記制御部は、前記被記録媒体カセットから被記録媒体を給送して記録を行う記録モードにおいては、前記ガイド部材を没状態に維持する、
ことを特徴とする記録装置。
【請求項９】
請求項１から請求項８のいずれか一項に記載の記録装置において、前記被記録媒体カセットから送り出された被記録媒体は、湾曲反転させられて前記記録手段に至る、
ことを特徴とする記録装置。
【発明の詳細な説明】
【技術分野】
【０００１】
本発明は、装置本体に対し着脱可能な被記録媒体カセットに関する。また本発明は、前記被記録媒体カセットを備えた被記録媒体給送装置、およびこれを備えた、ファクシミリやプリンター等に代表される記録装置に関する。
【背景技術】
【０００２】
記録装置の一例としてのインクジェットプリンターには、光ディスクのラベル面に直接インク滴を吐出することによって記録可能に構成されたものがある。この様なインクジェットプリンターにおいては、一般的に光ディスク等の被記録媒体はプレート形状を成すトレイにセットされ、当該トレイにセットされた状態でインクジェットプリンター内の搬送経路を搬送され、そして記録が実行される。
【０００３】
トレイは、インクジェットプリンターの装置前方に設けられたガイド手段（アダプタ）を介して装置内部に給送されるが、このガイド手段には、従来特許文献１、２に示すようなものがあった。
【０００４】
例えば、特許文献１に示すものは、記録の行われた用紙がスタックされるスタッカを、ガイド手段として兼用する様に構成されている。また特許文献２に示すものは、ガイド手段が、プリンター本体に回動可能に構成され、回動することにより、使用状態と収納状態とをとり得るようになっている。尚、上記のガイド手段は、光ディスクをセットしたトレイのみならず、ボード紙等の剛性が高く且つ厚みのあるプレート状体へ記録を実行する場合にも用いられる場合がある。
【先行技術文献】
【特許文献】
【０００５】
【特許文献１】特開２００４−１３０７７４号公報
【特許文献２】特開２００５−１４４９３２号公報
【発明の概要】
【発明が解決しようとする課題】
【０００６】
特許文献２に示されるように、トレイをガイドするガイド手段として専用のものを用いる構成の場合には、記録装置本体の内部にガイド手段を配設する為の専用スペースの確保が必要となり、装置の大型化を招き易い。また特許文献１に示されるように、記録済みの用紙をスタックするスタッカをトレイのガイド手段として利用する構成の場合には、スタッカは比較的大型の構成要素であることから、用紙をスタックする姿勢とトレイをガイドする姿勢とを切り換える為の構成が大掛かりになり易く、コストアップの程度が比較的大きくなり易い。
【０００７】
そこで本発明はこの様な状況に鑑みなされたものであり、その目的は、光ディスクをセットしたトレイやボード紙等のプレート状体をガイドするガイド手段を、より省スペースに、且つより低コストに構成することにある。
【課題を解決するための手段】
【０００８】
上記課題を解決する為の、本発明の第１の態様に係る被記録媒体カセットは、被記録媒体を搬送する搬送経路に向けてプレート状の被搬送媒体を案内するガイド手段を備えた、被記録媒体に記録を行う記録装置において着脱可能に設けられる、被記録媒体を収容する被記録媒体カセットである。
【０００９】
本態様によれば、被記録媒体に記録を行う記録装置において着脱可能に設けられる、被記録媒体を収容する被記録媒体カセットに、被記録媒体を搬送する搬送経路に向けてプレート状の被搬送媒体を案内するガイド手段が設けられていることから、ガイド手段を配設する為の専用スペースの確保が記録装置本体の内部に不要となり、より省スペースでガイド手段を設けることができるとともに、排紙スタッカをガイド手段として利用する構成に比して装置構成の複雑化の程度を小さくすることができ、コストアップの程度を小さくすることができる。
【００１０】
尚、本明細書において「被搬送媒体」とは、記録装置における媒体搬送経路を搬送される媒体を意味し、実際に記録が行われるか否かを問わない。また、「被記録媒体」とは記録対象としての媒体を意味する。従って例えば、被記録媒体をセットしたトレイが媒体搬送経路上を搬送される状況において、当該トレイは被搬送媒体ではあるが被記録媒体ではない。また、被搬送媒体としてのトレイにセットされた光ディスクは、被搬送媒体であるし被記録媒体でもある。また、ボード紙等の厚紙も、被搬送媒体であるし被記録媒体でもある。
【００１１】
本発明の第２の態様は、第１の態様において、前記ガイド手段が、前記被記録媒体カセットから出没可能に設けられたガイド部材により構成されていることを特徴とする。
【００１２】
本態様によれば、前記ガイド手段が、前記被記録媒体カセットから出没可能に設けられたガイド部材により構成されているので、没状態において被記録媒体カセットの上部空間が開放される。これにより例えば、被記録媒体カセットの上部に被記録媒体をスタックするスタッカが設けられる場合や、或いは被記録媒体カセットの上面をスタッカとして利用する構成においてガイド部材が邪魔にならず、有利となる。
【００１３】
本発明の第３の態様は、第１のまたは第２の態様において、被記録媒体を収容する下段側トレイと、当該下段側トレイの上部に設けられた、被記録媒体を載置する上段側トレイと、を備えて構成され、前記ガイド手段が、前記上段側トレイに設けられていることを特徴とする。
【００１４】
本態様によれば、下段側トレイと上段側トレイとを備えた複数段式の被記録媒体カセットにおいて、上記第１のまたは第２の態様の作用効果を得ることができる。尚、被記録媒体に記録を行う記録装置において被記録媒体を収容する収容部の呼称としては「カセット」、「トレイ」など種々のものがあるが、本明細書では装置本体に対して着脱可能な一つのユニット体全体を「カセット」と言い、このカセット内に設けられた複数の被記録媒体収容部を「トレイ」と言うこととする。
【００１５】
本発明の第４態様は、被記録媒体を給送する被記録媒体給送装置であって、第１から第３の態様のいずれかに係る被記録媒体カセットを備えていることを特徴とする。本態様によれば、被記録媒体給送装置において上述した第１から第３の態様のいずれかと同様な作用効果を得ることができる。
【００１６】
本発明の第５の態様は、被記録媒体に記録を行う記録手段と、第２の態様に係る被記録媒体カセットと、前記ガイド部材を出没動作させる駆動機構と、前記駆動機構を制御する制御部と、を備え、前記制御部は、前記プレート状の被搬送媒体、又は前記プレート状の被搬送媒体にセットされた被記録媒体への記録を実行するモードが選択された際、没状態にある前記ガイド部材を進出させることを特徴とする。
【００１７】
本態様によれば、ガイド手段を構成する、出没可能なガイド部材は、駆動機構によって出没可能に設けられており、当該ガイド部材を利用して搬送する被記録媒体への記録を実行するモードが選択された際に、進出状態となる様構成されているので、ユーザーが自らガイド部材の出没操作を行う必要がなく、ユーザビリティの向上を図ることができる。
【００１８】
発明の第６の態様は、第５の態様において、前記被記録媒体カセットは、被記録媒体を収容する下段側トレイと、当該下段側トレイの上部に設けられた、被記録媒体を載置する上段側トレイと、を備えて構成され、前記上段側トレイは、トレイ駆動手段によって当該上段側トレイから被記録媒体を給送可能な給送可能位置と、前記下段側トレイから被記録媒体を給送する際の退避位置と、の間を変位可能に設けられ、前記ガイド部材は、前記上段側トレイが前記退避位置にあるときに出没可能に設けられており、前記制御部は、前記プレート状の被搬送媒体、又は前記プレート状の被搬送媒体にセットされた被記録媒体への記録を実行するモードが選択された際、前記上段側トレイが前記給送可能位置にある場合には当該上段側トレイを前記退避位置に変位させることを特徴とする。
【００１９】
本態様によれば、下段側トレイと、当該下段側トレイに対して給送可能位置と退避位置との間を変位可能な上段側トレイと、を備えて構成された被記録媒体カセットにおいて、前記制御部は、前記プレート状の被搬送媒体、又は前記プレート状の被搬送媒体にセットされた被記録媒体への記録を実行するモードが選択された際、ガイド部材が出没可能な状態となるよう、前記上段側トレイを給送可能位置から退避位置に変位させるので、ユーザーが自ら上段側トレイを操作する必要がなく、ユーザビリティの向上を図ることができる。
【００２０】
本発明の第７の態様は、第５のまたは第６の態様において、前記制御部は、前記被記録媒体カセットから被記録媒体を給送して記録を行う記録モードにおいては、前記ガイド部材を没状態に維持することを特徴とする。
【００２１】
本態様によれば、ガイド部材の出没動作を制御する制御部は、前記被記録媒体カセットから被記録媒体を給送して記録を行う記録モードにおいては、前記ガイド部材を没状態に維持するので、被記録媒体の排出経路上にガイド部材が進出することがなく、被記録媒体を適切に排出することができる。
【図面の簡単な説明】
【００２２】
【図１】本発明の一実施形態に係るプリンターの用紙搬送経路を示す側断面図。
【図２】本発明の一実施形態に係るプリンターの用紙搬送経路を示す側断面図。
【図３】本発明の一実施形態に係る用紙カセット及び記録装置の一部構成要素の斜視図。
【図４】本発明の一実施形態に係る用紙カセット及び記録装置の一部構成要素の斜視図。
【発明を実施するための形態】
【００２３】
以下、図１乃至図４参照しつつ本発明の一実施形態について説明する。図１及び図２は本発明に係る「記録装置」の一実施形態であるインクジェットプリンター（以下「プリンター」と言う）１の用紙搬送経路を示す側断面図であり、図１は用紙カセット１００の前方側を、図２は同後方側を示している。但し、図１は上段側トレイ６０が給送可能位置にある状態を、図２は同待避位置にある状態を、それぞれ示しており（詳細は後述）、図１の状態では上段側トレイ６０の後端は、図２に示すより装置前方側に位置している。また図２の状態では上段側トレイ６０の先端は、図１に示すより装置後方側に位置している。
【００２４】
また、図３及び図４は本発明に係る「被記録媒体カセット」の一実施形態である用紙カセット１００およびプリンター１の一部構成要素の斜視図である。尚、図１及び図２において右方向は用紙送り出し方向、図面表裏方向が用紙幅方向を示している。
【００２５】
以下、図１を参照しつつプリンター１の全体構成について概説する。プリンター１は、装置底部に給送装置２を備え、当該給送装置２から、「被記録媒体」の一例としての用紙（主として単票紙）を１枚ずつ給送し、記録手段４において記録（インクジェット記録）を行い、装置前方側（図１において左側）に設けられた図示しない排紙スタッカへ向けて排出される基本構成を備えている。
【００２６】
以下、用紙搬送経路上の構成要素について更に詳説する。  
給送装置２は、用紙カセット１００と、ピックアップローラー１６と、ガイドローラー２０と、分離手段２１と、を備えている。
【００２７】
複数枚の用紙Ｐを積層状態でセット可能な用紙カセット１００は、給送装置２の装置本体に対し、装置前方側から装着及び取り外し可能であり、下部に位置して用紙カセット１００の基体を構成する下段側トレイ５０と、その上部に位置する、給送可能位置と退避領域との間をスライド可能な上段側トレイ６０と、の２つの用紙収容部を備えている。
【００２８】
尚、図１及び図２においては、下段側トレイ５０に収容される用紙を符号Ｐ１で、上段側トレイ６０に収容される用紙を符号Ｐ２で、それぞれ示している（以下特に区別する必要がない場合は「用紙Ｐ」と言う）。
【００２９】
図示しないモーターによって回転駆動されるピックアップローラー１６は、揺動軸１８を中心に揺動する揺動部材１７に設けられており、上段側トレイ６０が最も装置後方側（図１において左方向：用紙カセット１００の引き抜き方向側）にスライドした状態、即ち上段側トレイ６０が退避領域にあるときは、下段側トレイ５０に収容された用紙Ｐ１の最上位のものと接して回転することにより、当該最上位の用紙Ｐ１を下段側トレイ５０から送り出す。
【００３０】
また上段側トレイ６０が最も装置前方側（図１において右方向：用紙カセット１００の装着方向側）にスライドした突き当て位置にあるとき、即ち上段側トレイ６０の給送可能位置では、上段側トレイ６０に収容された用紙Ｐ２の最上位のものと接して回転することにより、当該最上位の用紙Ｐ２を上段側トレイ６０から送り出す。
【００３１】
この上段側トレイ６０が給送可能位置に位置決めされた状態（図１の状態）では、下段側トレイ５０の分離斜面５４が、上段側トレイ６０の前方側内壁よりも上段側トレイ６０に収容された用紙先端側に突出するように構成されており、これにより分離斜面５４が上段側トレイ６０から用紙が送り出される際の分離手段として利用されるようになっている。即ち、下段側トレイ５０の分離斜面５４が、下段側トレイ５０と上段側トレイ６０の共通の分離手段として利用される様になっている。
【００３２】
次に、分離斜面５４の下流側には自由回転可能なガイドローラー２０が設けられ、このガイドローラー２０の下流側には、分離ローラー２２と駆動ローラー２３とを備えて構成された分離手段２１が設けられている。分離ローラー２２は、外周面が弾性材によって形成されるとともに駆動ローラー２３と圧接可能に設けられ、且つ、トルクリミッタ機構により、所定の回転抵抗が与えられた状態に設けられている。従って重送されようとする次位以降の用紙Ｐが、当該分離ローラー２２と駆動ローラー２３との間で止められ、即ち重送が防止される様になっている。尚、駆動ローラー２３は図示しないモーターにより用紙Ｐを下流側へ送る方向に回転駆動される。
【００３３】
分離手段２１の下流側には、図示しないモーターにより回転駆動される駆動ローラー２６と、駆動ローラー２６との間で用紙Ｐをニップして従動回転するアシストローラー２７と、を備えて構成された第１中間送り部２５が設けられており、この第１中間送り部２５により、用紙Ｐが更に下流側へと送られる。尚、符号２９は、用紙Ｐが湾曲反転経路を通過する際の（特に用紙後端が通過する際の）通紙負荷を軽減する従動ローラーを示している。
【００３４】
従動ローラー２９の下流側には図示しないモーターにより回転駆動される駆動ローラー３２と、駆動ローラー３２との間で用紙Ｐをニップして従動回転するアシストローラー３３と、を備えて構成された第２中間送り部３１が設けられており、この第２中間送り部３１により、用紙Ｐが更に下流側へと送られる。
【００３５】
第２中間送り部３１の下流側には、記録手段４が配置されている。記録手段４は、搬送手段５と、記録ヘッド４２と、下部紙案内３９と、排出手段６と、を備えている。搬送手段５は、モーターによって回転駆動される搬送駆動ローラー３５と、該搬送駆動ローラー３５に圧接して従動回転するよう上部紙案内３７に軸支される搬送従動ローラー３６とを備えて構成されている。搬送手段５に到達した用紙Ｐは、搬送駆動ローラー３５と搬送従動ローラー３６とによってニップされた状態で搬送駆動ローラー３５が回転することにより、下流側へと精密送りされる。
【００３６】
続いて記録ヘッド４２はキャリッジ４０の底部に設けられ、当該キャリッジ４０は主走査方向（図１の紙面表裏方向）に延びるキャリッジガイド軸４１にガイドされながら、図示しない駆動モーターによって主走査方向に往復動する様に駆動される。尚、キャリッジ４０はインクカートリッジを搭載しない所謂オフキャリッジタイプであり、インクカートリッジ（図示せず）がキャリッジ４０から独立して設けられ、インク供給チューブ（図示せず）を介してインクカートリッジから記録ヘッド４２へとインクが供給されるように構成されている。
【００３７】
記録ヘッド４２と対向する位置には下部紙案内３９が設けられ、当該下部紙案内３９によって、用紙Ｐと記録ヘッド４２との距離が規定されるようになっている。そして下部紙案内３９の下流側には、記録の行われた用紙Ｐを排出する排出手段６が設けられている。排出手段６は図示しないモーターによって回転駆動される排出駆動ローラー４４と、当該排出駆動ローラー４４に接して従動回転する排出従動ローラー４５とを備えて構成され、記録手段４によって記録の行われた用紙Ｐは、排出手段６により、装置前方側に設けられた図示を省略するスタッカへと排出される。
【００３８】
以上がプリンター１の概要であり、以下、用紙カセット１００について図２〜図４をも併せて参照しつつ更に詳説する。  
下段側トレイ５０は、その底面５０ａに、用紙送り方向（即ち、用紙長さ方向）にスライド可能なエッジガイド５１（図１）を備えており、このエッジガイド５１により後端エッジの位置が規制されるようになっている。また、用紙送り方向と直交する方向（即ち、用紙幅方向）にスライド可能なエッジガイド５２も設けられており、このエッジガイド５２により、用紙Ｐ１のサイドエッジの位置が規制されるようになっている。
【００３９】
次に、下段側トレイ５０の底面５０ａには、ピックアップローラー１６と用紙Ｐ１との接触位置に対応する場所に高摩擦材（不図示）が配置されており、この高摩擦材により、ピックアップローラー１６による用紙送り出し時に用紙束ごと下流側に送られないよう、当該用紙束が保持される様になっている。
【００４０】
一方、上段側トレイ６０についても下段側トレイ５０と同様に、その底面６０ａに、用紙長さ方向にスライド可能なエッジガイド６１と、用紙幅方向にスライド可能なエッジガイド（不図示）と、を備えている。またピックアップローラー１６と用紙Ｐ２との接触位置に対応する場所に高摩擦材（不図示）が配置されている。
【００４１】
上段側トレイ６０には、図示を省略するラックが形成されており、下段側トレイ５０には、このラックと噛合するピニオン歯車（不図示）が設けられている。用紙カセット１００がプリンター本体に装着された際には、上記ピニオン歯車が、プリンター本体に設けられたモーターにより駆動される歯車（不図示）と噛合する様になっており、以上の様なラック＆ピニオン機構により構成されたトレイ駆動手段によって、上段側トレイ６０は、給送可能位置（図１）と退避位置（図２）との間を変位する様になっている。
【００４２】
続いて、用紙カセット１００に設けられた、被搬送媒体ガイドするガイド手段について説明する。図２及び図４において、符号Ｔは光ディスクＤをセット可能なトレイを示しており、光ディスクＤはトレイＴにセットされた状態でプリンター１の媒体搬送経路に給送されることにより、記録ヘッド４２によってラベル面にインクジェット記録が可能となっている。
【００４３】
尚、トレイＴなどのプレート状体に記録を実行する場合には、図示を省略するレリース手段によって図２に示すように排出従動ローラー４５は排出駆動ローラー４４から離間し、また記録ヘッド４２は図示を省略するギャップ調整手段によって下部紙案内３９との間のギャップが大きくなるように構成されている。また、トレイＴの先端が搬送駆動ローラー３５と搬送従動ローラー３６との間に入り込むまでは、搬送駆動ローラー３５は搬送従動ローラー３６から離間した状態となり、その後、当該離間状態が解除され、搬送駆動ローラー３５と搬送従動ローラー３６とによってトレイＴがニップされた状態となる様に構成されている。これらの状態変化は、手動で行う様に構成しても良いし、自動で実行される様に構成しても良い。
【００４４】
次に、用紙カセット１００の後端側（図２において左側）には、上段側トレイ６０の後端延長部６０ｂの用紙幅方向両端部に、開口部６３が形成されており、この開口部６３から、ガイド手段を構成するガイド部材５６が白矢印で示す様に上下に出没可能に設けられている。
【００４５】
ガイド部材５６には、図２に示すようにラック５６ｂが形成されており、このラック５６ｂにピニオン歯車５８が噛合している。ピニオン歯車５８は、モーター６５を駆動源とし、当該モーター６５を制御する制御部６６によって回転駆動される。即ちガイド部材５６は、制御部６６によって出没動作が制御される。即ち、ラック５６ｂ、ピニオン歯車５８、モーター６５、のこれらは、ガイド部材５６を出没動作させる駆動機構を構成する。
【００４６】
ガイド部材５６は、用紙カセット１００の上部に突出しない様に内部に収容された状態（没状態：図３の状態）から、制御部６６の制御のもと、用紙カセット１００の上方に進出した状態（図２、図４の状態）になると、上部のガイド面５６ａが、排出駆動ローラー４４の上部ローラー外周面とほぼ同じ高さ位置になる。これにより、図２及び図４に示すように光ディスクＤをセットしたトレイＴを支持可能となり、当該トレイＴを媒体搬送経路に向けて送り込むことが可能となる。
【００４７】
尚、ガイド部材５６の没状態からの進出動作は、例えば、トレイＴにセットされた光ディスクＤ或いはボード紙等のプレート状体への記録を実行するモードが選択された際に行うことができる。但しこれは一例であり、例えばガイド部材５６の進出動作を行う為の制御スイッチを設け、ユーザー操作によってガイド部材５６の出没動作を行うように構成しても良い。
【００４８】
また、本実施形態ではガイド部材５６は上段側トレイ６０に形成された開口部６３から出没可能となっているので、上段側トレイ６０が退避位置にあるときにのみ、ガイド部材５６は出没可能となる。従って例えば、トレイＴにセットされた光ディスクＤ或いはボード紙等のプレート状体への記録を実行するモードが選択された際に、上段側トレイ６０が退避位置ではなく給送可能位置（図１）にあるときは、上段側トレイ６０の位置を制御する制御部６６が、上段側トレイ６０を給送可能位置から退避位置に移動させ、そしてその後にガイド部材５６を進出させる様に構成しても良い。
【００４９】
更に、制御部６６が、用紙カセット１００から用紙を給送して記録を行う記録モードにおいては、ガイド部材５６を没状態に維持する様に構成することもできる。この様にすることで、用紙排出経路上にガイド部材５６が進出することを防止でき、用紙を適切に排出することができる。
【００５０】
以上説明したように、本発明に係る用紙カセット１００には、媒体搬送経路に向けてプレート状の被搬送媒体を案内するガイド手段としてのガイド部材５６が設けられていることから、ガイド部材５６を配設する為の専用スペースの確保がプリンター本体内部に不要となり、省スペースでガイド部材５６を設けることができる。また、用紙をスタックする排紙スタッカをガイド手段として兼用する構成に比して装置構成の複雑化の程度を小さくすることができ、コストアップを抑えることができる。
【００５１】
また、ガイド部材５６は、用紙カセット１００内部に収容可能に構成されているので（没状態）、没状態において用紙カセット１００の上部空間が開放される。これにより、用紙カセット１００の上部にスタッカが設けられる場合や、或いは用紙カセット１００の上面をスタッカとして利用する構成においてガイド部材５６が邪魔にならず、有利となる。
【００５２】
尚、本実施形態では、ガイド部材５６は用紙カセットに対して出没可能に設けられているが、用紙カセットに対して着脱可能に構成した上で、ユーザー操作によって装着するように構成しても良い。また、本実施形態ではガイド部材５６は下段側トレイ５０に対して設けられ、上段側トレイ６０に形成された開口部６３から出没可能に設けられているが、上段側トレイ６０それ自体に対して設けても良い。更に、用紙カセットは複数段式の構成ではなく、一段式構成であっても構わない。
【符号の説明】
【００５３】
１  インクジェットプリンター、２  給送装置、４  記録手段、５  搬送手段、６  排出手段、１６  ピックアップローラー、１７  揺動部材、１８  揺動軸、２０  従動ローラー、２１  分離手段、２２  分離ローラー、２３  駆動ローラー、２５  第１中間送り部、２６  駆動ローラー、２７  アシストローラー、２９  従動ローラー、３１  第２中間送り部、３２  駆動ローラー、３３  アシストローラー、３５  搬送駆動ローラー、３６  搬送従動ローラー、３７  上部紙案内、３９  下部紙案内、４０  キャリッジ、４１  キャリッジガイド軸、４２  記録ヘッド、４４  排出駆動ローラー、４５  排出従動ローラー、５０  下段側トレイ、５０ａ  底面、５１、５２  エッジガイド、５４  分離斜面、５６  ガイド部材、５６ａ  ガイド面、５６ｂ  ラック部、５８  ピニオン歯車、６０  上段側トレイ、６０ａ  底面、６１  エッジガイド、６３  開口部、６５  モーター、６６  制御部、１００  用紙カセット、Ｄ  光ディスク、Ｔ  トレイ、Ｐ、Ｐ１、Ｐ２  記録用紙
【図１】
0005741801.tif 000002
【図２】
0005741801.tif 000003
【図３】
0005741801.tif 000004
【図４】
0005741801.tif 000005